(57)【要約】【課題】燃圧センサの検出信号が正常に入力されない状態になった場合に、ドライバビリティや排気エミッションの悪化を抑制しながら、車両の退避走行を可能にする。【解決手段】燃圧センサ５８で検出した実燃圧を目標燃圧に一致させるように高圧ポンプ４２の燃圧制御弁５０の通電開始時期（つまり高圧ポンプ４２の吐出量）をフィードバック制御するシステムにおいて、燃圧検出異常状態（燃圧センサ５８の検出信号が正常に入力されない状態）になったときには、空燃比センサで検出した実空燃比と目標空燃比との差に応じて燃圧制御弁５０の通電開始時期を補正する。この際、空燃比センサで検出した実空燃比が目標空燃比よりもリッチの場合には、高圧ポンプ４２の吐出量を減少させる方向に通電開始時期を補正し、空燃比センサで検出した実空燃比が目標空燃比よりもリーンの場合には、高圧ポンプ４２の吐出量を増加させる方向に通電開始時期を補正する。【選択図】図２
2013253508.tif 000002
【特許請求の範囲】
【請求項１】
高圧ポンプ（４２）から供給される燃料を筒内に直接噴射する筒内噴射式の内燃機関（１１）に適用され、前記高圧ポンプ（４２）から供給される燃料の圧力を検出する燃圧センサ（５８）の検出信号に基づいて前記高圧ポンプ（４２）の吐出量を制御する筒内噴射式内燃機関の燃料供給装置において、
前記燃圧センサ（５８）の検出信号が正常に入力されない状態（以下「燃圧検出異常状態」という）になったときに、前記内燃機関（１１）の排出ガスの空燃比又はリッチ／リーンを検出する排出ガスセンサ（２４）の検出信号と目標空燃比との関係に基づいて前記高圧ポンプ（４２）の駆動信号を補正する補正手段（３０）を備えていることを特徴とする筒内噴射式内燃機関の燃料供給装置。
【請求項２】
前記排出ガスセンサ（２４）として、前記排出ガスの空燃比を検出する空燃比センサ（２４）を備え、
前記補正手段（３０）は、前記燃圧検出異常状態になったときに、前記空燃比センサ（２４）で検出した実空燃比と前記目標空燃比との差に応じて前記高圧ポンプ（４２）の駆動信号を補正することを特徴とする請求項１に記載の筒内噴射式内燃機関の燃料供給装置。
【請求項３】
前記補正手段（３０）は、前記燃圧検出異常状態になったときに、前記排出ガスセンサ（２４）の検出信号が前記目標空燃比よりもリッチ側の場合には、前記高圧ポンプ（４２）の吐出量を減少させる方向に前記高圧ポンプ（４２）の駆動信号を補正することを特徴とする請求項１又は２に記載の筒内噴射式内燃機関の燃料供給装置。
【請求項４】
前記補正手段（３０）は、前記燃圧検出異常状態になったときに、前記排出ガスセンサ（２４）の検出信号が前記目標空燃比よりもリーン側の場合には、前記高圧ポンプ（４２）の吐出量を増加させる方向に前記高圧ポンプ（４２）の駆動信号を補正することを特徴とする請求項１乃至３のいずれかに記載の筒内噴射式内燃機関の燃料供給装置。
【請求項５】
前記補正手段（３０）は、前記燃圧検出異常状態になったときに、前記高圧ポンプ（４２）の駆動信号を所定のベース信号に設定した後、前記排出ガスセンサ（２４）の検出信号と前記目標空燃比との関係に基づいて前記高圧ポンプ（４２）の駆動信号を補正することを特徴とする請求項１乃至４のいずれかに記載の筒内噴射式内燃機関の燃料供給装置。
【発明の詳細な説明】
【技術分野】
【０００１】
本発明は、高圧ポンプから供給される燃料を筒内に直接噴射する筒内噴射式内燃機関の燃料供給装置に関する発明である。
【背景技術】
【０００２】
気筒内に燃料を直接噴射する筒内噴射式エンジンは、吸気ポートに燃料を噴射する吸気ポート噴射式エンジンと比較して、噴射から燃焼までの時間が短く、噴射燃料を霧化させる時間を十分に稼ぐことができないため、噴射圧力を高圧にして噴射燃料を微粒化する必要がある。そのため、筒内噴射式エンジンでは、電動式の低圧ポンプで燃料タンクから汲み上げた燃料を、エンジンの動力で駆動される高圧ポンプに供給し、この高圧ポンプから吐出される高圧の燃料を燃料噴射弁へ圧送するようにしている。
【０００３】
このような筒内噴射式エンジンにおいては、例えば、特許文献１（特開平１０−１７６５８７号公報）に記載されているように、高圧ポンプから燃料噴射弁に供給される燃料の圧力（燃圧）を検出する燃圧センサを設け、この燃圧センサで検出した実燃圧をエンジン運転状態に応じた目標燃圧に一致させるように高圧ポンプ（吐出制御弁の通電タイミング）をフィードバック制御するようにしたものがある。
【０００４】
しかし、燃圧センサの異常等により実燃圧を正常に検出できなくなった場合には、燃圧センサの検出信号に基づいた高圧ポンプのフィードバック制御を正常に実行することができず、実燃圧を目標燃圧に精度良く制御できなくなる。
【０００５】
そこで、上記特許文献１では、燃圧センサに異常が発生した場合に、燃圧が最高となるように高圧ポンプ（吐出制御弁）を強制制御することで、車両の退避走行を可能にすることが提案されている。
【先行技術文献】
【特許文献】
【０００６】
【特許文献１】特開平１０−１７６５８７号公報
【発明の概要】
【発明が解決しようとする課題】
【０００７】
しかし、上記特許文献１の技術のように、燃圧センサに異常が発生した場合に、燃圧が最高となるように高圧ポンプを制御するようにすると、燃圧が高い状態に維持されるため、要求噴射量が少なくなる低負荷領域では、燃料噴射弁の噴射時間を最小噴射時間Ｔmin （噴射時間の下限値）まで短くしても、実噴射量を要求噴射量まで減少させることができない可能性があり、その結果、実空燃比が目標空燃比よりもリッチになって、ドライバビリティや排気エミッションが悪化する可能性がある。
【０００８】
一方、燃圧センサに異常が発生した場合に、高圧ポンプを停止させてフィード圧（低圧ポンプの吐出圧）で燃料噴射弁に燃料を供給するようにすると、燃圧が低い状態に維持されるため、要求噴射量が多くなる高負荷領域では、要求噴射量分の燃料を噴射できなくなる可能性があり、その結果、実空燃比が目標空燃比よりもリーンになって、ドライバビリティや排気エミッションが悪化する可能性がある。
【０００９】
そこで、本発明が解決しようとする課題は、燃圧センサの検出信号が正常に入力されない状態になった場合に、ドライバビリティや排気エミッションの悪化を抑制しながら、車両を退避走行させることができる筒内噴射式内燃機関の燃料供給装置を提供することにある。
【課題を解決するための手段】
【００１０】
上記課題を解決するために、請求項１に係る発明は、高圧ポンプ（４２）から供給される燃料を筒内に直接噴射する筒内噴射式の内燃機関（１１）に適用され、高圧ポンプ（４２）から供給される燃料の圧力を検出する燃圧センサ（５８）の検出信号に基づいて高圧ポンプ（４２）の吐出量を制御する筒内噴射式内燃機関の燃料供給装置において、燃圧センサ（５８）の検出信号が正常に入力されない状態（以下「燃圧検出異常状態」という）になったときに、内燃機関（１１）の排出ガスの空燃比又はリッチ／リーンを検出する排出ガスセンサ（２４）の検出信号と目標空燃比との関係に基づいて高圧ポンプ（４２）の駆動信号を補正する補正手段（３０）を備えた構成としたものである。
【００１１】
燃圧検出異常状態（燃圧センサの検出信号が正常に入力されない状態）になったときに、実燃圧を目標燃圧に精度良く制御できなくなって、目標燃圧に対して実燃圧にずれが生じると、それに伴って実噴射量が変化して実空燃比が変化するため、排出ガスセンサの検出信号と目標空燃比との関係が変化する。
【００１２】
従って、燃圧検出異常状態になったときに、排出ガスセンサの検出信号と目標空燃比との関係に基づいて高圧ポンプの駆動信号を補正すれば、目標燃圧に対する実燃圧のずれを小さくする方向に高圧ポンプの吐出量を補正して、実燃圧を目標燃圧付近に制御することができる。これにより、要求噴射量に対する実噴射量のずれを小さくして、実空燃比を目標空燃比に精度良く制御することが可能となり、燃圧検出異常状態になった場合でも、ドライバビリティや排気エミッションの悪化を抑制しながら、車両を退避走行させることができる。
【図面の簡単な説明】
【００１３】
【図１】図１は本発明の一実施例におけるエンジン制御システムの概略構成を示す図である。
【図２】図２は燃料供給システムの概略構成を示す図である。
【図３】図３は燃圧検出異常状態になった場合の燃圧と噴射時間と空燃比の挙動の一例を示すタイムチャートである。
【図４】図４は高圧ポンプ制御ルーチンの処理の流れを示すフローチャートである。
【図５】図５は通電開始時期補正量のマップの一例を概念的に示す図である。
【発明を実施するための形態】
【００１４】
以下、本発明を実施するための形態を具体化した一実施例を説明する。
筒内噴射式の内燃機関である筒内噴射式エンジン１１の吸気管１２の最上流部には、エアクリーナ１３が設けられ、このエアクリーナ１３の下流側に、吸入空気量を検出するエアフローメータ１４が設けられている。このエアフローメータ１４の下流側には、モータ１５によって開度調節されるスロットルバルブ１６と、このスロットルバルブ１６の開度（スロットル開度）を検出するスロットル開度センサ１７とが設けられている。
【００１５】
更に、スロットルバルブ１６の下流側には、サージタンク１８が設けられ、このサージタンク１８に、吸気管圧力を検出する吸気管圧力センサ１９が設けられている。また、サージタンク１８には、エンジン１１の各気筒に空気を導入する吸気マニホールド２０が設けられ、エンジン１１の各気筒には、それぞれ筒内に燃料を直接噴射する燃料噴射弁２１が取り付けられている。また、エンジン１１のシリンダヘッドには、各気筒毎に点火プラグ２２が取り付けられ、各気筒の点火プラグ２２の火花放電によって各気筒内の混合気に着火される。
【００１６】
一方、エンジン１１の排気管２３には、排出ガスの空燃比を検出する空燃比センサ２４（排出ガスセンサ）が設けられ、この空燃比センサ２４の下流側に、排出ガスを浄化する三元触媒等の触媒２５が設けられている。
【００１７】
また、エンジン１１のシリンダブロックには、冷却水温を検出する冷却水温センサ２６や、ノッキングを検出するノックセンサ２７が取り付けられている。また、クランク軸２８の外周側には、クランク軸２８が所定クランク角回転する毎にパルス信号を出力するクランク角センサ２９が取り付けられ、このクランク角センサ２９の出力信号に基づいてクランク角やエンジン回転速度が検出される。
【００１８】
次に、図２を用いて燃料供給システムの構成を説明する。
燃料を貯溜する燃料タンク３９内には、燃料を汲み上げる低圧ポンプ４０が設置されている。この低圧ポンプ４０は、バッテリ（図示せず）を電源とする電動モータ（図示せず）によって駆動される。この低圧ポンプ４０から吐出される燃料は、燃料配管４１を通して高圧ポンプ４２に供給される。燃料配管４１には、プレッシャレギュレータ４３が接続され、このプレッシャレギュレータ４３によって低圧ポンプ４０の吐出圧力（高圧ポンプ４２への燃料供給圧力）が所定圧力に調圧され、その圧力を越える燃料の余剰分が燃料戻し配管４４により燃料タンク３９内に戻されるようになっている。
【００１９】
高圧ポンプ４２は、円筒状のポンプ室４５内でピストン４６（プランジャ）を往復運動させて燃料を吸入／吐出するピストンポンプであり、ピストン４６は、エンジン１１のカム軸４７に嵌着されたカム４８の回転運動によって駆動される。
【００２０】
この高圧ポンプ４２の吸入口４９側には、燃圧制御弁５０が設けられている。この燃圧制御弁５０は、常開型の電磁弁であり、吸入口４９を開閉する弁体５１と、この弁体５１を開弁方向に付勢するスプリング５２と、弁体５１を閉弁方向に電磁駆動するソレノイド５３とから構成されている。
【００２１】
高圧ポンプ４２の吸入行程（ピストン４６の下降時）において燃圧制御弁５０の弁体５１が開弁してポンプ室４５内に燃料が吸入され、高圧ポンプ４２の吐出行程（ピストン４６の上昇時）において燃圧制御弁５０の弁体５１が閉弁してポンプ室４５内の燃料が吐出されるように燃圧制御弁５０のソレノイド５３の通電を制御する。その際、燃圧制御弁５０（ソレノイド５３）の通電開始時期を制御して燃圧制御弁５０の閉弁期間（閉弁開始時期からピストン４６の上死点までの閉弁状態のクランク角区間）を制御することで、高圧ポンプ４２の吐出量を制御して燃圧（燃料圧力）を制御する。尚、燃圧制御弁５０の通電開始時期は、所定の基準クランク角位置（例えばピストン４６の上死点に相当するクランク角位置）からのクランク角で設定される。
【００２２】
例えば、燃圧を上昇させるときには、燃圧制御弁５０の通電開始時期を進角させて燃圧制御弁５０の閉弁開始時期を進角させることで、燃圧制御弁５０の閉弁期間を長くして高圧ポンプ４２の吐出量を増加させる。逆に、燃圧を低下させるときには、燃圧制御弁５０の通電開始時期を遅角させて燃圧制御弁５０の閉弁開始時期を遅角させることで、燃圧制御弁５０の閉弁期間を短くして高圧ポンプ４２の吐出量を減少させる。
【００２３】
一方、高圧ポンプ４２の吐出口５４側には、吐出した燃料の逆流を防止する逆止弁５５が設けられている。高圧ポンプ４２から吐出される燃料は、高圧燃料配管５６を通してデリバリパイプ５７に送られ、このデリバリパイプ５７からエンジン１１の各気筒に取り付けられた燃料噴射弁２１に高圧の燃料が分配される。デリバリパイプ５７（又は高圧燃料配管５６）には、高圧燃料配管５６やデリバリパイプ５７等の高圧燃料通路内の燃圧を検出する燃圧センサ５８が設けられている。また、デリバリパイプ５７には、リリーフ弁５９が設けられ、このリリーフ弁５９の排出ポートがリリーフ配管６０を介して燃料タンク３９（又は低圧側の燃料配管４１）に接続されている。
【００２４】
上述した各種センサの出力は、電子制御ユニット（以下「ＥＣＵ」と表記する）３０に入力される。このＥＣＵ３０は、マイクロコンピュータを主体として構成され、内蔵されたＲＯＭ（記憶媒体）に記憶された各種のエンジン制御用のプログラムを実行することで、エンジン運転状態に応じて、燃料噴射量、点火時期、スロットル開度（吸入空気量）等を制御する。
【００２５】
その際、ＥＣＵ３０は、エンジン運転状態（例えばエンジン回転速度やエンジン負荷等）に応じて目標燃圧を算出し、燃圧センサ５８で検出した高圧燃料通路内の実燃圧（燃圧センサ５８の検出信号）を目標燃圧に一致させるように高圧ポンプ４２の燃圧制御弁５０の通電開始時期（つまり高圧ポンプ４２の吐出量）をＦ／Ｂ制御する燃圧Ｆ／Ｂ制御を実行する。ここで、「Ｆ／Ｂ」は「フィードバック」を意味する（以下、同様）。
【００２６】
また、ＥＣＵ３０は、エンジン運転状態（例えばエンジン回転速度やエンジン負荷等）に応じて要求噴射量を算出して、この要求噴射量と燃圧センサ５８で検出した実燃圧（又は目標燃圧）とに応じて燃料噴射弁２１の噴射時間（噴射パルス幅）を算出し、この噴射時間で燃料噴射弁２１を開弁駆動して要求噴射量分の燃料を噴射する。尚、後述する燃圧検出異常状態になったときには、要求噴射量と目標燃圧とに応じて燃料噴射弁２１の噴射時間を算出する。
【００２７】
更に、ＥＣＵ３０は、所定の空燃比Ｆ／Ｂ制御実行条件が成立したときに、空燃比センサ２４で検出した排出ガスの実空燃比（空燃比センサ２４の検出信号）を目標空燃比に一致させるように空燃比Ｆ／Ｂ補正量を算出し、この空燃比Ｆ／Ｂ補正量を用いて要求噴射量を補正する空燃比Ｆ／Ｂ制御を実行する。
【００２８】
ところで、図３に示すように、燃圧センサ５８の故障や燃圧センサ５８とＥＣＵ３０との間の信号線の異常（例えば断線やショート）等により燃圧センサ５８の検出信号が正常に入力されない状態（以下「燃圧検出異常状態」という）になった場合には、燃圧センサ５８の検出信号に基づいた燃圧Ｆ／Ｂ制御を正常に実行することができず、実燃圧を目標燃圧に精度良く制御できなくなる。このような場合、目標燃圧を用いて燃料噴射弁２１の噴射時間を算出するため、目標燃圧に対して実燃圧にずれが生じると、必要噴射時間（要求噴射量を実現するのに必要な噴射時間）に対して実噴射時間にずれが生じて、要求噴射量に対して実噴射量にずれが生じる。その結果、目標空燃比に対して実空燃比がリーン方向やリッチ方向にずれてしまい、ドライバビリティや排気エミッションが悪化する可能性がある。図３では、燃圧検出異常状態となり実燃圧（図中破線）が目標燃圧（実線）よりも低い場合を示している。このとき実燃圧に対して必要な噴射時間は破線で示す必要噴射時間であるのに対し、実際の噴射時間は実線で示す実噴射時間となる。その結果、噴射時間が短くなり必要な噴射量が確保できず、破線で示すようにリーン方向にずれた実空燃比となってしまう。
【００２９】
この対策として、本実施例では、ＥＣＵ３０により後述する図４の高圧ポンプ制御ルーチンを実行することで、燃圧検出異常状態（燃圧センサ５８の検出信号が正常に入力されない状態）になったときに、空燃比センサ２４で検出した実空燃比と目標空燃比との差に応じて、高圧ポンプ４２の燃圧制御弁５０の通電開始時期（高圧ポンプ４２の駆動信号）を補正する。
【００３０】
燃圧検出異常状態になったときに、実燃圧を目標燃圧に精度良く制御できなくなって、目標燃圧に対して実燃圧にずれが生じると、それに伴って、実噴射量（実噴射時間）が変化して実空燃比が変化するため、空燃比センサ２４で検出した実空燃比と目標空燃比との差が変化する。
【００３１】
従って、燃圧検出異常状態になったときに、空燃比センサ２４で検出した実空燃比と目標空燃比との差に応じて高圧ポンプ４２の燃圧制御弁５０の通電開始時期を補正すれば、目標燃圧に対する実燃圧のずれを小さくする方向に高圧ポンプ４２の吐出量を補正して、実燃圧を目標燃圧付近に制御することができる。これにより、要求噴射量に対する実噴射量のずれを小さくして、実空燃比を目標空燃比に精度良く制御することが可能となる。
【００３２】
以下、ＥＣＵ３０が実行する図４の高圧ポンプ制御ルーチンの処理内容を説明する。
図４に示す高圧ポンプ制御ルーチンは、ＥＣＵ３０の電源オン期間中（イグニッションスイッチのオン期間中）に所定周期で繰り返し実行される。本ルーチンが起動されると、まず、ステップ１０１で、エンジン運転状態（例えばエンジン回転速度やエンジン負荷等）に応じて目標燃圧をマップ又は数式等により算出する。
【００３３】
この後、ステップ１０２に進み、燃圧検出異常状態（燃圧センサ５８の故障や燃圧センサ５８とＥＣＵ３０との間の信号線の異常等により燃圧センサ５８の検出信号が正常に入力されない状態）であるか否かを、燃圧検出異常フラグが「１」であるか否かによって判定する。この燃圧検出異常フラグは、図示しない異常診断ルーチンで燃圧検出異常状態であると判定されたときに「１」にセットされる。
【００３４】
このステップ１０２で、燃圧検出異常状態ではない（燃圧検出異常フラグ＝０）と判定された場合には、燃圧Ｆ／Ｂ制御を正常に実行することができると判断して、ステップ１０３に進み、燃圧センサ５８で検出した実燃圧を読み込んだ後、ステップ１０４に進み、燃圧センサ５８で検出した実燃圧を目標燃圧に一致させるように高圧ポンプ４２の燃圧制御弁５０の通電開始時期を算出する。この場合、例えば、実燃圧と目標燃圧との差に基づいて燃圧Ｆ／Ｂ補正量を算出し、この燃圧Ｆ／Ｂ補正量を用いて高圧ポンプ４２の燃圧制御弁５０の通電開始時期を補正する。
【００３５】
これに対して、上記ステップ１０２で、燃圧検出異常状態である（燃圧検出異常フラグ＝１）と判定された場合には、燃圧Ｆ／Ｂ制御を正常に実行することができないと判断して、ステップ１０５に進み、高圧ポンプ４２の燃圧制御弁５０の通電開始時期を所定のベース値（ベース信号）に設定する。このベース値は、例えば、燃圧制御弁５０の通電開始時期の制御範囲の中間値に設定されている。或は、ベース値を、燃圧検出異常状態であると判定される直前に算出された通電開始時期に設定するようにしても良い。このステップ１０５の処理は、燃圧検出異常状態であると判定された後の最初の１回だけ実行する。
【００３６】
この後、ステップ１０６に進み、空燃比検出異常状態（空燃比センサ２４の故障や空燃比センサ２４とＥＣＵ３０との間の信号線の異常等により空燃比センサ２４の検出信号が正常に入力されない状態）であるか否かを、空燃比検出異常フラグが「１」であるか否かによって判定する。この空燃比検出異常フラグは、図示しない異常診断ルーチンで空燃比検出異常状態であると判定されたときに「１」にセットされる。
【００３７】
このステップ１０６で、空燃比検出異常状態ではない（空燃比検出異常フラグ＝０）と判定されれば、ステップ１０７に進み、空燃比センサ２４で検出した実空燃比を読み込むと共に、図示しない空燃比制御ルーチンで設定した目標空燃比（又は予め設定された目標空燃比）を読み込む。
【００３８】
この後、ステップ１０８に進み、空燃比センサ２４で検出した実空燃比と目標空燃比との差に応じて高圧ポンプ４２の燃圧制御弁５０の通電開始時期を補正する。この場合、例えば、図５に示す通電開始時期補正量のマップを参照して、空燃比センサ２４で検出した実空燃比と目標空燃比との差に応じた通電開始時期補正量を算出し、この通電開始時期補正量を用いて高圧ポンプ４２の燃圧制御弁５０の通電開始時期を補正する。
【００３９】
実燃圧が目標燃圧よりも高くなると、実噴射量が要求噴射量よりも多くなって、実空燃比が目標空燃比よりもリッチになる。一方、実燃圧が目標燃圧よりも低くなると、実噴射量が要求噴射量よりも少なくなって、実空燃比が目標空燃比よりもリーンになる。
【００４０】
このような特性を考慮に入れて、図５に示す通電開始時期補正量のマップは、実空燃比と目標空燃比との差が０よりも小さい場合（つまり実空燃比が目標空燃比よりもリッチ側の場合）には、高圧ポンプ４２の吐出量を減少させる方向（遅角方向）に通電開始時期を補正するように遅角方向の通電開始時期補正量が設定されていると共に、実空燃比と目標空燃比との差が０よりも大きい場合（つまり実空燃比が目標空燃比よりもリーン側の場合）には、高圧ポンプ４２の吐出量を増加させる方向（進角方向）に通電開始時期を補正するように進角方向の通電開始時期補正量が設定されている。
【００４１】
これにより、実燃圧が目標燃圧よりも高くなって、実空燃比が目標空燃比よりもリッチになった場合には、高圧ポンプ４２の吐出量を減少させる方向に通電開始時期を補正することで、実燃圧を低下させて、実燃圧を目標燃圧付近に制御することができる。一方、実燃圧が目標燃圧よりも低くなって、実空燃比が目標空燃比よりもリーンになった場合には、高圧ポンプ４２の吐出量を増加させる方向に通電開始時期を補正することで、実燃圧を上昇させて、実燃圧を目標燃圧付近に制御することができる。
【００４２】
図５に示す通電開始時期補正量のマップは、予め試験データや設計データ等に基づいて作成され、ＥＣＵ３０のＲＯＭに記憶されている。上記ステップ１０５〜１０８の処理が特許請求の範囲でいう補正手段としての役割を果たす。
【００４３】
一方、上記ステップ１０６で、空燃比検出異常状態である（空燃比検出異常フラグ＝１）と判定された場合には、上記ステップ１０７，１０８の処理を実行することなく、高圧ポンプ４２の燃圧制御弁５０の通電開始時期をベース値（又は所定のフェールセーフ値）に維持する。
【００４４】
以上のようにして通電開始時期を設定した後、ステップ１０９に進み、設定した通電開始時期で通電を開始するように高圧ポンプ４２の燃圧制御弁５０の通電を制御して、高圧ポンプ４２の吐出量を制御する。
【００４５】
以上説明した本実施例では、燃圧検出異常状態（燃圧センサ５８の検出信号が正常に入力されない状態）になったときに、空燃比センサ２４で検出した実空燃比と目標空燃比との差に応じて高圧ポンプ４２の燃圧制御弁５０の通電開始時期を補正するようにしたので、目標燃圧に対する実燃圧のずれを小さくする方向に高圧ポンプ４２の吐出量を補正して、実燃圧を目標燃圧付近に制御することができる。これにより、要求噴射量に対する実噴射量のずれを小さくして、実空燃比を目標空燃比に精度良く制御することが可能となり、燃圧検出異常状態になった場合でも、ドライバビリティや排気エミッションの悪化を抑制しながら、車両を退避走行させることができる。
【００４６】
また、本実施例では、燃圧検出異常状態になったときに、高圧ポンプ４２の燃圧制御弁５０の通電開始時期を所定のベース値に設定した後、空燃比センサ２４で検出した実空燃比と目標空燃比との差に応じて高圧ポンプ４２の燃圧制御弁５０の通電開始時期を補正するようにしたので、燃圧検出異常状態になったときに、まず、燃圧制御弁５０の通電開始時期の補正を開始する際の通電開始時期の初期値を適正範囲内に設定してから、通電開始時期の補正を開始することができる。
【００４７】
尚、上記実施例では、空燃比センサ２４で検出した実空燃比と目標空燃比との差に応じて高圧ポンプ４２の燃圧制御弁５０の通電開始時期を補正するようにしたが、これに限定されず、例えば、空燃比センサ２４で検出した実空燃比と目標空燃比との差に基づいて算出される空燃比Ｆ／Ｂ補正量に応じて高圧ポンプ４２の燃圧制御弁５０の通電開始時期を補正するようにしても良い。
【００４８】
また、上記実施例では、排出ガスセンサとして、排出ガスの空燃比を検出する空燃比センサを備えたシステムに本発明を適用したが、これに限定されず、排出ガスセンサとして、排出ガスのリッチ／リーンを検出する酸素センサ（排出ガスの空燃比が理論空燃比に対してリッチかリーンかによって出力電圧が反転するセンサ）を備えたシステムに本発明を適用しても良い。この場合、例えば、燃圧検出異常状態になったときに、酸素センサの出力電圧（検出信号）が理論空燃比（目標空燃比）に相当する目標電圧よりもリッチ側の場合には、高圧ポンプの吐出量を減少させる方向（遅角方向）に高圧ポンプの燃圧制御弁の通電開始時期を補正し、酸素センサの出力電圧が理論空燃比に相当する目標電圧よりもリーン側の場合には、高圧ポンプの吐出量を増加させる方向（進角方向）に高圧ポンプの燃圧制御弁の通電開始時期を補正する。
【００４９】
また、上記実施例では、高圧ポンプの駆動信号として通電開始時期を制御することで高圧ポンプの吐出量を制御するシステムに本発明を適用したが、これに限定されず、通電開始時期以外の他の駆動信号を制御することで高圧ポンプの吐出量を制御するシステムに本発明を適用しても良い。
【００５０】
その他、本発明は、高圧ポンプの構成や燃料供給システムの構成を適宜変更しても良い等、要旨を逸脱しない範囲内で種々変更して実施できる。
【符号の説明】
【００５１】
１１…エンジン（内燃機関）、２１…燃料噴射弁、２４…空燃比センサ（排出ガスセンサ）、３０…ＥＣＵ（補正手段）、４２…高圧ポンプ、５０…燃圧制御弁、５８…燃圧センサ
【図１】
2013253508.tif 000003
【図２】
2013253508.tif 000004
【図３】
2013253508.tif 000005
【図４】
2013253508.tif 000006
【図５】
2013253508.tif 000007